(57)【要約】【課題】資料提示装置１０は、折り畳まれたテーブル２０を快適に展開することができ、使用性に優れていること。【解決手段】資料提示装置１０は、テーブル２０の上に被撮像物を置いて、ビデオカメラ３０により被撮像物を撮像して、コンピュータのディスプレイなどに表示する。テーブル２０は、カメラ支持部材４０を固定する固定部材２１と、固定部材２１の側部にそれぞれ回動可能に支持された展開板２２Ｒ，２２Ｌを備えている。展開機構５０は、展開板２２Ｒ，２２Ｌに一端が回動可能にそれぞれ連結されかつ他端が互いに連結ピン６８ａで連結されたリンク部材６６Ｒ，６６Ｌと、連結ピン６８ａの移動をガイドするガイド部材と、連結ピン６８ａの移動に対して抵抗力を加えるダンパ部７０とを備えている。【選択図】図５
2008294644.tif 000002
【特許請求の範囲】
【請求項１】
被撮像物を載置し折り畳み可能に収納されるテーブル（２０）と、該テーブル（２０）側を撮像方向とするビデオカメラ（３０）と、該ビデオカメラ（３０）が上記テーブル（２０）を撮像可能である位置に上記ビデオカメラ（３０）を保持するカメラ支持部材（４０）と、上記折り畳まれたテーブル（２０）を展開するとともに該展開されたテーブルを収納する展開機構（５０）と、を備えた撮像装置であって、
上記テーブル（２０）は、上記カメラ支持部材（４０）を固定する固定部材（２１）と、該固定部材（２１）の側部にそれぞれ回動可能に支持された展開板（２２Ｒ，２２Ｌ）を備え、
上記展開機構（５０）は、上記展開板（２２Ｒ，２２Ｌ）に一端が回動可能にそれぞれ連結されかつ他端が互いに連結ピン（６８ａ）で連結されたリンク部材（６６Ｒ，６６Ｌ）と、上記連結ピン（６８ａ）の移動をガイドするガイド部材と、上記連結ピン（６８ａ）の移動に対して抵抗力を加えるダンパ部（７０）とを備えたことを特徴とする撮像装置。
【請求項２】
請求項１に記載の撮像装置において、
上記カメラ支持部材（４０）は、上記固定部材（２１）の端部に立設され、上記ガイド部材を固定するベース部（４１）を備え、上記ベース部（４１）に上記展開板（２２Ｒ，２２Ｌ）の端部が合わさるように収納される撮像装置。
【請求項３】
請求項１または請求項２に記載の撮像装置において、
上記ダンパ部（７０）は、上記連結ピン（６８ａ）に連結され、ピニオンギヤ（７２ｂ）を有し該ピニオンギヤ（７２ｂ）の回転に抵抗力を与えるダンパ本体（７２）と、上記ピニオンギヤ（７２ｂ）を転動させるラックギヤ（７３）とを備えている撮像装置。
【請求項４】
請求項１ないし請求項３のいずれかに記載の撮像装置において、
上記ダンパ部は、一方向のみに抵抗力を加える一方向ダンパである撮像装置。
【請求項５】
請求項２ないし請求項４のいずれかに記載の撮像装置において、
上記展開機構（５０）は、上記展開板（２２Ｒ，２２Ｌ）が上記ベース部（４１）に対して合わった状態にて上記展開板（２２Ｒ，２２Ｌ）と上記ベース部（４１）とを係合する係合突起（８１Ｒｂ，８１Ｌｂ）を有し、該係合突起（８１Ｒｂ，８１Ｌｂ）が上記展開板（２２Ｒ，２２Ｌ）と上記ベース部（４１）とを係合しているロック状態と、該ロック状態から上記係合を解除する非ロック状態とに操作可能であるロック機構（８０）を備えた撮像装置。
【発明の詳細な説明】
【技術分野】
【０００１】
本発明は、折り畳み可能に収納されるテーブル上に被撮像物を載置して、ビデオカメラで撮影する撮像装置に関する。
【背景技術】
【０００２】
従来、この種の撮像装置として、ビデオカメラを備え、資料を撮像してモニタテレビなどに表示する資料提示装置が知られている。資料提示装置は、
文書や写真などを撮像しやすいように、資料を載置するテーブルを備え、このテーブルに対してビデオカメラが向くようにして当該カメラを支柱で保持する。テーブルは、固定部材から両側に回動可能に軸支された展開板を回動することにより、折り畳み可能に構成されており、収納・運搬を容易にしている。しかし、テーブルは、展開板が展開されるときに展開板が受ける重力により展開されるために、展開板が載置台に当たったときに大きな衝撃音が発生したりして、不快感をもたらす場合があった。
【０００３】
【特許文献１】特開２００５−２０４０１０号公報
【発明の開示】
【発明が解決しようとする課題】
【０００４】
本発明は、上記課題を解決することを踏まえ、折り畳まれたテーブルを快適に展開することができる撮像装置を提供することを目的とする。
【課題を解決するための手段】
【０００５】
上記課題を解決するためになされた本発明は、
被撮像物を載置し折り畳み可能に収納されるテーブルと、該テーブル側を撮像方向とするビデオカメラと、該ビデオカメラが上記テーブルを撮像可能である位置に上記ビデオカメラを保持するカメラ支持部材と、上記折り畳まれたテーブルを展開するとともに該展開されたテーブルを収納する展開機構と、を備えた撮像装置であって、
上記テーブルは、上記カメラ支持部材を固定する固定部材と、該固定部材の側部にそれぞれ回動可能に支持された展開板を備え、
上記展開機構は、上記展開板に一端が回動可能にそれぞれ連結されかつ他端が互いに連結ピンで連結されたリンク部材と、上記連結ピンの移動をガイドするガイド部材と、上記連結ピンの移動に対して抵抗力を加えるダンパ部とを備えたことを特徴とする。
【０００６】
本発明の撮像装置において、テーブルの上に被撮像物を置いて、ビデオカメラにより被撮像物を撮像して、コンピュータのディスプレイなどに表示する。このように、テーブルに置いた原稿をディスプレイで表示しつつ原稿を説明するなどのプレゼンテーションを行なうことができる。また、テーブルは、運搬時に折り畳むことで、持ち運びが容易であり、使用時に展開機構により展開することにより、被撮像物を載置する面を大きくとることができる。
【０００７】
テーブルは、カメラ支持部材を固定する固定部材の側部にそれぞれ展開板が回動可能になっており、展開機構により展開される速度が重力による速度よりも遅くなるように制御される。すなわち、展開機構は、リンク部材の一端を展開板に回動可能に連結し、その他端を他端が互いに連結ピンで連結し、さらに、連結ピンの移動をガイド部材によりガイドし、ダンパ部により連結ピンの移動に対して抵抗力を加えている。すなわち、展開板は、リンク機構を介してダンパ部から抵抗力を受けて、自然落下よりもゆっくりとした速度で展開されるから、載置台に当たったときに衝撃音や損傷を生じることがなく、快適でソフトな感触を得ることができる。
【０００８】
しかも、両方のリンク部材は、その一端で連結ピンを介してダンパ部に連結され、展開板を、固定部材を中心に左右対称に同じ速度で展開するから、バランスよく展開される。つまり、展開機構は、展開板を片方ずつでなく、両方を同時に展開させるから、展開板にダンパ力を加えるダンパ部を個々に設けた構成に比べると、展開板が展開する時間的なズレがなく、スムーズな展開動作を行なうことができるともに、部品点数を減らすことができる。
【０００９】
また、本発明の好適な態様として、上記カメラ支持部材は、上記固定部材の端部に立設され、上記ガイド部材を固定するベース部を備え、上記ベース部に上記展開板の端部が合わさるように収納される構成をとることができる。この構成により、テーブルの展開板をカメラ支持部材のベース部にコンパクトに収納することができる。
【００１０】
さらに、本発明の他の好適な態様として、上記ダンパ部は、上記連結ピンに連結され、ピニオンギヤを有し該ピニオンギヤの回転に抵抗力を与えるダンパ本体と、上記ピニオンギヤを転動させるラックギヤとを備えている構成をとることができる。また、ダンパ部は、一方向のみに抵抗力を加える一方向ダンパで構成することができ、これにより、収納操作を迅速に行なうことができる。
【００１１】
また、本発明の好適な態様として、上記展開機構は、上記展開板が上記ベース部に対して合わった状態にて上記展開板と上記ベース部とを係合する係合突起を有し、該係合突起が上記展開板と上記ベース部とを係合しているロック状態と、該ロック状態から上記係合を解除する非ロック状態とに操作可能であるロック機構を備えた構成をとることができる。この構成により、ロック機構を操作することにより、ロック状態から非ロック状態に移行して、展開板の展開をダンパ部でのダンパ作用を用いつつ自動的に行なうことができる。
【発明を実施するための最良の形態】
【００１２】
（１）  資料提示装置１０の概略構成
次に、本発明に係る撮像装置の実施の形態を実施例に基づき説明する。図１は実施例としての資料提示装置１０の使用状態を示す斜視図、図２はこの資料提示装置１０の使用状態を示す側面図、図３は資料提示装置１０の収納状態を示す斜視図である。図１に示すように、資料提示装置１０は、Ａ４の用紙サイズより大きな面積を有するテーブル２０と、ビデオカメラ３０を先端に搭載したカメラ支持部材４０と、展開機構５０とを備えている。資料提示装置１０の構成により、図３の資料提示装置１０の収納状態から、図１および図２のように展開機構５０によってテーブル２０を使用状態に展開し、テーブル２０の上に原稿などを載置し、ビデオカメラ３０により撮像して、コンピュータのディスプレイにより表示する。このように、テーブル２０に置いた原稿をディスプレイで表示しつつプレゼンテーションを行なうことができる。以下、資料提示装置１０の各部の構成および動作について説明する。
【００１３】
（２）  資料提示装置１０の各部の構成
（２）−１  テーブル２０
テーブル２０は、カメラ支持部材４０の下端に固定された固定部材２１と、この固定部材２１の両側に回転可能に支承された２つの展開板２２Ｒ，２２Ｌから構成されている。固定部材２１および展開板２２Ｒ，２２Ｌは、合成樹脂製の薄板であり、これらの図には示していないが、その裏面には、補強用の図示しない金属板が固定されている。固定部材２１は、その両側に所定長さに亘って凹部が設けられており、ここに、展開板２２Ｒ，２２Ｌの凸部が嵌り込む。両者の嵌め合い部には、貫通孔が設けられており、ここに、回転軸２３Ｒ，２３Ｌを挿入することにより、展開板２２Ｒ，２２Ｌは、固定部材２１に対して回転可能になっている。
【００１４】
（２）−２  ビデオカメラ３０およびカメラ支持部材４０
図４はビデオカメラ３０を斜め下方から見た状態を示す斜視図である。ビデオカメラ３０は、カメラ支持部材４０の上部下面に装着されている。カメラ支持部材４０は、固定部材２１に連結されたベース部４１と、このベース部４１に回転可能に連設されたアーム部４３と、このアーム部４３に回転可能に連設されビデオカメラ３０を固定するカメラ保持部材４５から構成されている。ベース部４１のテーブル２０側には、化粧板４１ａが着脱可能に装着されており、ベース部４１内に、後述する展開機構５０および電子回路などが収納されている。
【００１５】
カメラ保持部材４５には、ビデオカメラ３０が収納されており、そのビデオカメラ３０の撮像レンズ３１がカメラ保持部材４５の下面に配置されている。また、撮像レンズ３１に対してカメラ保持部材４５の先端側には、照明部３３が設けられている。照明部３３は、指向性の強い発光ダイオード（ＬＥＤ）などの点光源からなるランプ３３ａと、ランプ３３ａの光を分散させてテーブル２０の全面にわたって均一な照明を行なうための分散板３３ｂとを備えている。この照明部３３のランプ３３ａを点灯して分散板３３ｂを介してテーブル２０の全面に照明するとともに、この反射光をビデオカメラ３０により撮像して、出力端子を通じて外部信号を出力する。
【００１６】
（２）−３  展開機構５０
図５は展開機構５０を背面側から説明する説明図、図６は展開機構５０を分解した斜視図、図７はベース部４１の上部を一部分解して示す斜視図である。展開機構５０は、図５および図６に示すベース部４１の収納スペースに収納され、展開板２２Ｒ，２２Ｌが固定部材２１に対して展開されるときの速度を遅くするためのダンパ機構６０と、図７に示す展開板２２Ｒ，２２Ｌをカメラ支持部材４０に対してロック状態および非ロック状態に設定するロック機構８０とを備えており、ロック機構８０の操作によりロック状態から非ロック状態にしたときに、ダンパ機構６０を介して展開板２２Ｒ，２２Ｌを固定部材２１に対してゆっくりと展開させる。
【００１７】
（ａ）  ダンパ機構６０
図６において、ダンパ機構６０は、ベース部４１（図１）に固定された支持部６１と、リンク機構６５と、粘性抵抗を加えるダンパ部７０とを備えている。支持部６１は、ベース部４１の内側に固定されており、支持部材６２と、ガイド板６３と、固定部材６４とを備えている。支持部６１は、前壁６２ａと、前壁６２ａの両端から折曲された側壁６２ｂとを備え、側壁６２ｂでベース部４１の内壁に固定されている。前壁６２ａには、縦方向にガイド穴６２ｃが形成されている。ガイド板６３は、支持部材６２の前壁６２ａに固定されており、板状のガイド本体６３ａを備えている。ガイド本体６３ａには、その縦方向に支持部材６２のガイド穴６２ｃと一致した位置にガイド穴６３ｂが形成されている。固定部材６４は、固定本体６４ａと、固定本体６４ａの上端に折曲された取付部６４ｂとを備え、取付部６４ｂで支持部材６２にネジ止め固定されている。
【００１８】
リンク機構６５は、展開板２２Ｒ，２２Ｌ（図５）と、ダンパ部７０とを連結するリンク機構であり、左右対称のリンク部材６６Ｒ，６６Ｌを備えている。リンク部材６６Ｒは、第１リンク６６Ｒａと第２リンク６６Ｒｂとでく字形に屈曲した棒材であり、第１リンク６６Ｒａの一端の透孔６６Ｒｃに回動ピン６７Ｒを介して展開板２２Ｒ（図５）の側部に回動可能に連結されている。リンク部材６６Ｌは、リンク部材６６Ｒと同様な構成であり、く字形の第１リンク６６Ｌａ、第２リンク６６Ｌｂに、透孔６６Ｌｃを貫通した回動ピン６７Ｌを介して展開板２２Ｌの側部に回動可能に連結されている。リンク部材６６Ｒ，６６Ｌの他端には、透孔６６Ｒｄ，６６Ｌｄが形成されており、これらの透孔６６Ｒｄ，６６Ｌｄを連結ピン６８ａが貫通している。連結ピン６８ａは、上述した支持部材６２のガイド穴６２ｃおよびガイド板６３のガイド穴６３ｂを貫通して、ダンパ部７０側に連結されている。なお、リンク部材６６Ｒとリンク部材６６Ｌおよびリンク部材６６Ｌと支持部材６２との間には、ワッシャ６８ｂ，６８ｂが介在している。リンク機構６５の構成により、展開板２２Ｒ，２２Ｌを固定部材２１に対して回動させることにより、リンク部材６６Ｒ，６６Ｌを介して連結ピン６８ａがガイド穴６２ｃ，６３ｂを昇降する。
【００１９】
ダンパ部７０は、スライド部材７１と、ダンパ本体７２と、ラックギヤ７３とを備えている。スライド部材７１は、ガイド板６３に合わさって上下方向にスライド可能である板状のスライド本体７１ａを備えている。スライド本体７１ａには、連結ピン６８ａに螺合するネジ穴７１ｂが形成され、また、ネジ穴７１ｂの下方にガイド板６３のガイド穴６３ｂにガイドされるガイドピン７１ｃが形成されている。ダンパ本体７２は、抵抗部７２ａと、抵抗部７２ａの軸に回動可能に軸支されたピニオンギヤ７２ｂとを備え、取付部７２ｃを介してスライド部材７１にねじ止め固定されている。ラックギヤ７３は、ピニオンギヤ７２ｂに噛み合うように固定部材６４に固定されている。このダンパ部７０の構成により、連結ピン６８ａによる昇降する力を受けてスライド部材７１が一体に昇降すると、ダンパ本体７２のピニオンギヤ７２ｂがラックギヤ７３に倣って転動し、これに伴ってピニオンギヤ７２ｂは、抵抗部７２ａの粘性抵抗を受けて、スライド部材７１およびリンク機構６５の昇降動作に抵抗力を加える。
【００２０】
（ｂ）  ロック機構８０
図７において、ロック機構８０は、上述したように、展開板２２Ｒ，２２Ｌをベース部４１に対してロック状態および非ロック状態に設定する機構であり、操作部８１と、操作部８１に付勢するスプリング８２と、操作部８１をガイドするガイド部８３とを備えている。操作部８１には、その上面に押圧操作部８１ａが突設され、また、側面に係合突起８１Ｒｂ，８１Ｌｂが突設されている。係合突起８１Ｒｂ，８１Ｌｂは、展開板２２Ｒ，２２Ｌの側部に形成された係合凹所２２Ｒａ，２２Ｌａにそれぞれ出没することで係合・係脱する。また、操作部８１の下面には、ガイド突部８１ｃが形成され、ガイド部８３のガイド溝８３ａにガイドされる。ロック機構８０の構成により、操作部８１の押圧操作部８１ａが解除方向へ操作されて移動したときに、スプリング８２のスプリング力に抗して操作部８１がガイド部８３にガイドされつつスライドし、係合突起８１Ｒｂ，８１Ｌｂが展開板２２Ｒ，２２Ｌの係合凹所２２Ｒａ，２２Ｌａから外れることで、展開板２２Ｒ，２２Ｌがベース部４１に対して離脱可能である非ロック状態になる。一方、図５に示すように展開板２２Ｒ，２２Ｌをベース部４１に合わさるように回転軸２３Ｒ，２３Ｌを中心に回動したときに、図７に示す操作部８１を展開板２２Ｒ，２２Ｌの側端で押して、スプリング８２のスプリング力に抗して押し入れて、係合突起８１Ｒｂ，８１Ｌｂが係合凹所２２Ｒａ，２２Ｌａに係合することで、展開板２２Ｒ，２２Ｌがベース部４１に離脱不能であるロック状態になる。
【００２１】
（３）  展開機構５０の展開動作および収納動作
（３）−１  展開動作
資料提示装置１０の収納状態から使用状態にするには、以下の操作を行なう。図９に示すように、資料提示装置１０は、テーブル２０の展開板２２Ｒ，２２Ｌがカメラ支持部材４０に合わさって閉じられた状態にあるとする。この状態から、図８に示すロック機構８０の押圧操作部８１ａを矢印方向へ押すと、図７に示す操作部８１がスプリング８２のスプリング力に抗してガイド部８３にガイドされつつ移動する。これにより、操作部８１に設けられた係合突起８１Ｒｂ，８１Ｌｂが展開板２２Ｒ，２２Ｌの係合凹所２２Ｒａ，２２Ｌａからそれぞれ外れることで、ロック解除状態になる。ロック解除状態になると、図９に示すように、展開板２２Ｒ，２２Ｌは、その自重により回転軸２３Ｒ，２３Ｌを中心に回動して、リンク部材６６Ｒ，６６Ｌの一端を引っ張る。
【００２２】
リンク部材６６Ｒ，６６Ｌの他端は、連結ピン６８ａに連結されているから、連結ピン６８ａは、支持部材６２のガイド穴６２ｃおよびガイド板６３のガイド穴６３ｂに倣いつつ、スライド部材７１を下方へ移動させる力を加える。スライド部材７１が下方への力を受けると、スライド部材７１に固定されたダンパ本体７２のピニオンギヤ７２ｂがラックギヤ７３に噛み合いつつ転動する。これにより、図１０に示すように、スライド部材７１がガイド板６３に対して下方へ移動する。このとき、ピニオンギヤ７２ｂの回転に伴って、ピニオンギヤ７２ｂの軸に形成された抵抗部７２ａがピニオンギヤ７２ｂの回転に粘性抵抗を加える。この抵抗力は、スライド部材７１、連結ピン６８ａ、リンク部材６６Ｒ，６６Ｌを介して展開板２２Ｒ，２２Ｌに伝達される。すなわち、展開板２２Ｒ，２２Ｌは、抵抗力を受けつつ、自重による開く力を小さくして、ゆっくりとした速度で開き、図１１に示すように載置台に乗ったときに停止する。これにより、資料提示装置１０は、図１に示す使用状態になる。
【００２３】
（３）−２  収納動作
資料提示装置１０の使用状態から収納状態にするには、展開動作と逆の動作を行なう。すなわち、図１１の使用状態にて、展開板２２Ｒ，２２Ｌの両側端を持って、図１０に示すように、ベース部４１に向けて回動する。これにより、展開板２２Ｒ，２２Ｌに連動してリンク部材６６Ｒ，６６Ｌの端部およびダンパ部７０のスライド部材７１が一体に上昇する。スライド部材７１の上昇によりピニオンギヤ７２ｂがラックギヤ７３を転動する。このとき、ダンパ本体７２により粘性抵抗によって展開板２２Ｒ，２２Ｌの収納動作に抵抗力を生じる。そして、展開板２２Ｒ，２２Ｌがベース部４１に合わさって、展開板２２Ｒ，２２Ｌの係合凹所２２Ｒａ，２２Ｌａにロック機構８０の係合突起８１Ｒｂ，８１Ｌｂが係合することにより、ロック機構８０がロック状態になる。これにより、図３および図９に示す資料提示装置１０が収納状態になる。
【００２４】
（４）  実施例の作用効果
上記実施例により、以下の作用効果を奏する。
（４）−１  図３および図９に示す資料提示装置１０の収納状態から、ロック機構８０のロック状態を解除するように操作すると、展開板２２Ｒ，２２Ｌは、リンク機構６５を介してダンパ機構６０からの抵抗を受けて、自然落下よりもゆっくりとした速度で展開されるから、載置台に当たったときに衝撃音や損傷を生じることがなく、快適でソフトな感触を得ることができる。
【００２５】
（４）−２  両方のリンク部材６６Ｒ，６６Ｌは、その一端で連結ピン６８ａを介してダンパ部７０に連結され、展開板２２Ｒ，２２Ｌを、固定部材２１を中心にして左右対称に同じ速度で展開するから、バランスよく展開される。つまり、展開機構５０は、展開板２２Ｒ，２２Ｌを片方ずつでなく、両方を同時に展開させるから、展開板２２Ｒ，２２Ｌにダンパ力を加えるダンパ部を個々に設けた構成に比べると、展開板２２Ｒ，２２Ｌが展開する時間的なズレがなく、スムーズな展開動作を行なうことができるともに、部品点数を減らすことができる。
【００２６】
（４）−３  資料提示装置１０を収納状態に戻すときに、展開機構５０は、展開板２２Ｒ，２２Ｌの側部をそれぞれ手で持ち上げたときに、ダンパ機構６０のダンパ作用によりゆっくりと閉めることができ、展開板２２Ｒの端部がベース部４１に衝突することもない。
【００２７】
（４）−４  展開板２２Ｒ，２２Ｌは、互いに一端で連結されてダンパ部７０に連動しているから、一方の展開板２２Ｒ，２２Ｌを閉めれば、他方も同時に閉まるので、操作性に優れている。
【００２８】
（５）  この発明は上記実施例に限られるものではなく、その要旨を逸脱しない範囲において種々の態様において実施することが可能であり、例えば次のような変形も可能である。
（５）−１  上記実施例におけるダンパ部７０は、展開および収納のいずれの方向にも、ダンパ作用が働くように構成したが、これに限らず、ダンパ部に一方向クラッチなどを用いることにより、収納方向にダンパ作用をなくすか、低減することにより、収納作用を迅速に行なうように構成してもよい。
（５）−２  ダンパ部は、粘性抵抗により抵抗力を加えるように構成したが、これに限らず、抵抗力を働かせる構成であれば、スプリングなどであってもよい。
【図面の簡単な説明】
【００２９】
【図１】本発明の一実施例にかかる資料提示装置の使用状態を示す斜視図である。
【図２】資料提示装置の使用状態を示す側面図である。
【図３】資料提示装置の収納状態を示す斜視図である。
【図４】ビデオカメラを斜め下方から見た状態を示す斜視図である。
【図５】展開機構を背面側から説明する説明図である。
【図６】展開機構を分解した斜視図である。
【図７】ロック機構の周辺を一部分解して示す斜視図である。
【図８】ロック機構を説明する説明図である。
【図９】資料提示装置の展開動作を説明する説明図である。
【図１０】図９に続く動作を説明する説明図である。
【図１１】図１０に続く動作を説明する説明図である。
【符号の説明】
【００３０】
１０…資料提示装置
２０…テーブル
２１…固定部材
２２Ｒ，２２Ｌ…展開板
２２Ｒａ，２２Ｌａ…係合凹所
２３Ｒ，２３Ｌ…回転軸
３０…ビデオカメラ
３１…撮像レンズ
３３…照明部
３３ａ…ランプ
３３ｂ…分散板
４０…カメラ支持部材
４１離脱可能…ベース部
４１…ベース部
４１ａ…化粧板
４３…アーム部
４５…カメラ保持部材
５０…展開機構
６０…ダンパ機構
６１…支持部
６２ｃ，６３ｂ…ガイド穴
６２…支持部材
６２ａ…前壁
６２ｂ…側壁
６３…ガイド板
６３ａ…ガイド本体
６４…固定部材
６４ａ…固定本体
６４ｂ…取付部
６５…リンク機構
６６Ｒ，６６Ｌ…リンク部材
６６Ｒｄ，６６Ｌｄ…透孔
６６Ｌａ…第１リンク
６６Ｌｂ…第２リンク
６６Ｌｃ…透孔
６６Ｒａ…第１リンク
６６Ｒｂ…第２リンク
６６Ｒｃ…透孔
６７Ｌ…回動ピン
６７Ｒ…回動ピン
６８ａ…連結ピン
６８ｂ…ワッシャ
７０…ダンパ部
７１…スライド部材
７１ａ…スライド本体
７１ｂ…ネジ穴
７１ｃ…ガイドピン
７２…ダンパ本体
７２ａ…抵抗部
７２ｂ…ピニオンギヤ
７２ｃ…取付部
７３…ラックギヤ
８０…ロック機構
８１Ｒｂ，８１Ｌｂ…係合突起
８１…操作部
８１ａ…押圧操作部
８１ｃ…ガイド突部
８２…スプリング
８３…ガイド部
８３ａ…ガイド溝
【図１】
2008294644.tif 000003
【図２】
2008294644.tif 000004
【図３】
2008294644.tif 000005
【図４】
2008294644.tif 000006
【図５】
2008294644.tif 000007
【図６】
2008294644.tif 000008
【図７】
2008294644.tif 000009
【図８】
2008294644.tif 000010
【図９】
2008294644.tif 000011
【図１０】
2008294644.tif 000012
【図１１】
2008294644.tif 000013